(57)【要約】【課題】比較的簡単な操作により外部機器との接続を行うことができる電子機器を提供する。【解決手段】電子機器は、複数の記憶部と、接続部と、受付部と、通信部とを備える。接続部は、第１外部機器と接続可能である。第１外部機器は、複数の記憶部のうちの一部の記憶部のみを同時に認識可能な外部機器である。受付部は、接続部に第１外部機器が接続されている場合に、複数の記憶部のうちのどの記憶部を第１外部機器に認識させるかを示す選択指示をユーザから受け付ける。通信部は、第１外部機器との通信を行う。通信部は、接続部に第１外部機器が接続されると、複数の記憶部のうちの予め定められた記憶部を認識した状態の第１外部機器との通信を自動的に確立し、受付部が選択指示を受け付けた場合に、複数の記憶部のうちの選択指示により選択された記憶部を認識した状態の第１外部機器との通信を確立する。【選択図】図５
2011141869.tif 000002
【特許請求の範囲】
【請求項１】
複数の記憶部と、
前記複数の記憶部のうちの一部の記憶部のみを同時に認識可能な第１外部機器と接続可能な接続部と、
前記接続部に前記第１外部機器が接続されている場合に、前記複数の記憶部のうちのどの記憶部を前記第１外部機器に認識させるかを示す選択指示をユーザから受け付ける受付部と、
前記第１外部機器との通信を行う通信部と、
を備え、
前記通信部は、
前記接続部に前記第１外部機器が接続されると、前記複数の記憶部のうちの予め定められた記憶部を認識した状態の前記第１外部機器との通信を自動的に確立し、
前記受付部が前記選択指示を受け付けた場合に、前記複数の記憶部のうちの前記選択指示により選択された記憶部を認識した状態の前記第１外部機器との通信を確立する、
電子機器。
【請求項２】
前記接続部に前記第１外部機器が接続されている場合に、前記選択指示を受け付ける選択画面の表示を行う表示部、
をさらに備える、
請求項１に記載の電子機器。
【請求項３】
前記接続部は、前記複数の記憶部のうちの全ての記憶部を同時に認識可能な第２外部機器とさらに接続可能であり、
前記通信部は、前記接続部に前記第２外部機器が接続されると、前記複数の記憶部のうちの全ての記憶部を認識した状態の前記第２外部機器との通信を自動的に確立する、
請求項２に記載の電子機器。
【請求項４】
複数の記憶部と、
前記複数の記憶部のうちの一部の記憶部のみを同時に認識可能な種類の外部機器である第１外部機器、および、前記複数の記憶部のうちの全ての記憶部を同時に認識可能な種類の外部機器である第２外部機器と接続可能な接続部と、
前記接続部に前記第１外部機器が接続されると、前記複数の記憶部のうちのどの記憶部を前記外部機器に認識させるかをユーザに選択させる選択画面を自動的に表示し、前記接続部に前記第２外部機器が接続された場合には、前記選択画面を表示しない又は前記選択画面を消灯する表示部と、
を備える、
電子機器。
【請求項５】
前記接続部に前記外部機器が接続されると、前記外部機器の種類を自動的に判断する判断部、
をさらに備え、
前記表示部は、前記接続部に前記第１外部機器が接続されたと前記判断部が判断すると、前記選択画面を自動的に表示し、前記接続部に前記第２外部機器が接続されたと前記判断部が判断した場合には、前記選択画面を表示しない又は前記選択画面を消灯する、
請求項４に記載の電子機器。
【請求項６】
前記判断部は、前記第１外部機器および前記第２外部機器の少なくとも一方から送信されてくる信号に基づいて、前記外部機器の種類を判断する、
請求項５に記載の電子機器。
【請求項７】
前記複数の記憶部のうちの少なくとも一部の記憶部は、着脱可能である、
請求項１〜６のうちのいずれかに記載の電子機器。
【請求項８】
被写体の画像データを生成する撮像素子と、
前記画像データを前記複数の記憶部の少なくとも１つに記憶させ、前記外部機器からの指令に応じて、前記複数の記憶部の少なくとも１つに記憶されている前記画像データを前記外部機器に送信するデータ管理部と、
をさらに備える、
請求項１〜７のいずれかに記載の電子機器。
【発明の詳細な説明】
【技術分野】
【０００１】
本発明は、電子機器に関し、特に外部機器と接続可能な電子機器に関する。
【背景技術】
【０００２】
特許文献１は、ＵＳＢの通信経路の切り替えを制御するＵＳＢ切替装置を開示する。このＵＳＢ切替装置は、ストレージ装置からの切り換え信号に基づき、デジタルスチルカメラ（ＤＳＣ）−プリンタの接続形態と、ＤＳＣ−ストレージ装置の接続形態とに接続を切り換える。
【先行技術文献】
【特許文献】
【０００３】
【特許文献１】特開２００６−２０２２３４号公報
【発明の概要】
【発明が解決しようとする課題】
【０００４】
しかしながら、上記特許文献１によれば、利用者がＤＳＣと、プリンタ、ストレージ装置等の外部機器とをＵＳＢ接続しようと思うと、依然として操作は煩雑である。
【０００５】
本発明は、比較的簡単な操作により外部機器との接続を行うことができる電子機器を提供することを目的とする。
【課題を解決するための手段】
【０００６】
上記課題を解決するために、本発明にかかる電子機器は、複数の記憶部と、接続部と、受付部と、通信部とを備える。接続部は、第１外部機器と接続可能である。第１外部機器は、複数の記憶部のうちの一部の記憶部のみを同時に認識可能な外部機器である。受付部は、接続部に第１外部機器が接続されている場合に、複数の記憶部のうちのどの記憶部を第１外部機器に認識させるかを示す選択指示をユーザから受け付ける。通信部は、第１外部機器との通信を行う。通信部は、接続部に第１外部機器が接続されると、複数の記憶部のうちの予め定められた記憶部を認識した状態の第１外部機器との通信を自動的に確立し、受付部が選択指示を受け付けた場合に、複数の記憶部のうちの選択指示により選択された記憶部を認識した状態の第１外部機器との通信を確立する。
【０００７】
また、上記課題を解決するために、本発明にかかる電子機器は、複数の記憶部と、接続部と、表示部とを備える。接続部は、第１外部機器および第２外部機器と接続可能である。第１外部機器は、複数の記憶部のうちの一部の記憶部のみを同時に認識可能な種類の外部機器である。第２外部機器は、複数の記憶部のうちの全ての記憶部を同時に認識可能な種類の外部機器である。表示部は、接続部に第１外部機器が接続されると、選択画面を自動的に表示し、接続部に第２外部機器が接続された場合には、選択画面を表示しない又は選択画面を消灯する。選択画面は、複数の記憶部のうちのどの記憶部を外部機器に認識させるかをユーザに選択させる画面である。
【発明の効果】
【０００８】
本発明によれば、比較的簡単な操作により電子機器と外部機器との接続が可能になる。
【図面の簡単な説明】
【０００９】
【図１】デジタルビデオカメラおよび外部機器を含むシステムのブロック図。
【図２】デジタルビデオカメラの構成を示すブロック図。
【図３】初期通信の流れを説明するためのシーケンス図。
【図４】アプリケーションソフトの起動動作を説明するためのフローチャート。
【図５】記憶メディアの決定動作を説明するためのフローチャート。
【図６】（Ａ）初期通信中に液晶モニタに表示される画面を示す図。（Ｂ）初期通信の完了後に液晶モニタに表示される画面を示す図。
【図７】メディア選択画面を示す図。
【図８】変形例に係るアプリケーションソフトの起動動作を説明するためのフローチャート。
【図９】変形例に係る記憶メディアの決定動作を説明するためのフローチャート。
【図１０】別の変形例に係るアプリケーションソフトの起動動作を説明するためのフローチャート。
【図１１】別の変形例に係る記憶メディアの決定動作を説明するためのフローチャート。
【図１２】変形例に係るメディア選択画面を示す図。
【図１３】変形例に係るメディア選択画面を示す図。
【発明を実施するための形態】
【００１０】
〔１．実施の形態１〕
本発明をデジタルビデオカメラに適用した例について、図面を用いて説明する。
【００１１】
〔１−１．概要〕
本実施の形態にかかるデジタルビデオカメラ１００は、ＵＳＢ（Ｕｎｉｖｅｒｓａｌ  Ｓｅｒｉａｌ  Ｂｕｓ）２９０を有している。デジタルビデオカメラ１００は、ＵＳＢ２９０を介して、パーソナルコンピュータ（以下、パソコンと称する）およびＤＶＤ（Ｄｉｇｉｔａｌ  Ｖｅｒｓａｔｉｌｅ  Ｄｉｓｃ）レコーダ等の様々な種類の外部機器に接続できる。
【００１２】
使用者は、比較的簡単な操作により、デジタルビデオカメラ１００と、パソコンおよびＤＶＤレコーダ等の外部機器との接続を行うことができる。
【００１３】
〔１−２．構成〕
〔１−２−１．全体システムの構成〕
本実施の形態にかかるデジタルビデオカメラ１００は、図１に示すように、ＵＳＢ２９０を介して外部機器と接続されることにより全体システムを構成する。この全体システムにおいて、外部機器は、デジタルビデオカメラ１００内のＨＤＤ（Ｈａｒｄ  Ｄｉｓｃ  Ｄｒｉｖｅ）３２０およびメモリカード２４０にアクセスすることができる。
【００１４】
〔１−２−２．デジタルビデオカメラの構成〕
本実施の形態にかかるデジタルビデオカメラ１００の電気的構成について、図２を用いて説明する。図２は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、ＨＤＤ３２０および／又はメモリカード２４０に格納される。ＨＤＤ３２０および／又はメモリカード２４０に格納された画像データは、液晶モニタ２７０で表示可能である。以下、デジタルビデオカメラ１００の構成を詳細に説明する。
【００１５】
デジタルビデオカメラ１００の光学系は、ズームレンズ１１０、ＯＩＳ（Ｏｐｔｉｃａｌ  Ｉｍａｇｅ  Ｓｔａｂｉｌｉｚｅｒ）１４０およびフォーカスレンズ１７０を含む。ズームレンズ１１０は、光学系の光軸に沿って移動することにより、被写体像を拡大又は縮小可能である。フォーカスレンズ１７０は、光学系の光軸に沿って移動することにより、被写体像のピントを調整する。
【００１６】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１７】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動量に応じて、ブラシ等のスイッチによりズームレンズの位置に関する信号を出力する。
【００１８】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。検出器１６０は、ＯＩＳ１４０内における補正レンズの移動量を検出する。
【００１９】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００２０】
画像処理部１９０は、ＣＣＤイメージセンサー１８０で生成された画像データに対して処理を施すことにより、液晶モニタ２７０に表示するための画像データを生成したり、ＨＤＤ３２０および／又はメモリカード２４０に再格納するための画像データを生成したりする。例えば、画像処理部１９０は、ＣＣＤイメージセンサー１８０で生成された画像データに対して、ガンマ補正やホワイトバランス補正、傷補正などの各種処理を行う。また、画像処理部１９０は、ＣＣＤイメージセンサー１８０で生成された画像データに対して、Ｈ．２６４規格やＭＰＥＧ２規格などに準拠した圧縮形式により画像データを圧縮する。画像処理部１９０は、ＤＳＰやマイコンなどで実現可能である。
【００２１】
コントローラー２１０は、デジタルビデオカメラ１００全体を制御する制御部である。コントローラー２１０は、半導体素子などで実現可能である。コントローラー２１０は、ハードウェアのみで構成してもよいし、ハードウェアとソフトウェアとを組み合わせることにより実現してもよい。本実施の形態では、コントローラー２１０は、マイコンで実現されている。コントローラー２１０は、内部メモリ２８０内の制御プログラムを読み出して実行することにより、通信部２１０ａ、判断部２１０ｂおよびデータ管理部２１０ｃ等として動作する。通信部２１０ａ、判断部２１０ｂおよびデータ管理部２１０ｃの動作の詳細については、後述する。
【００２２】
メモリ２００は、画像処理部１９０及びコントローラー２１０のワークメモリとして機能する。メモリ２００は、例えば、ＤＲＡＭ、強誘電体メモリなどで実現できる。
【００２３】
液晶モニタ２７０は、ＣＣＤイメージセンサー１８０で生成された画像データが示す画像や、ＨＤＤ３２０および／又はメモリカード２４０から読み出された画像データが示す画像などを表示可能である。他の実施の形態では、液晶モニタ２７０の代わりに、有機ＥＬディスプレイや、プラズマディスプレイ等、画像を表示可能な任意のディスプレイが使用され得る。
【００２４】
ジャイロセンサー２２０は、圧電素子等の振動材等で構成される。ジャイロセンサー２２０は、一定周波数で振動させた振動材に加わるコリオリ力による力を電圧に変換して角速度情報を得る。コントローラー２１０は、ジャイロセンサー２２０から角速度情報を得る。コントローラー２１０は、角速度情報が示す揺れを相殺する方向にＯＩＳ１４０内の補正レンズを駆動させることにより、使用者による手振れを補正する。
【００２５】
カードスロット２３０には、メモリカード２４０を着脱可能である。カードスロット２３０は、機械的及び電気的にメモリカード２４０と接続可能である。メモリカード２４０は、フラッシュメモリや強誘電体メモリなどを内部に含む。メモリカード２４０は、デジタルビデオカメラ１００により撮像される映像データ等を記録する記録メディアである。
【００２６】
内部メモリ２８０は、フラッシュメモリや強誘電体メモリなどで実現可能である。内部メモリ２８０は、デジタルビデオカメラ１００全体を制御するための制御プログラム等を格納する。
【００２７】
操作部材２５０は、使用者から画像の撮像指示等の様々な指示を受け付ける操作インターフェースである。ズームレバー２６０は、使用者からズーム倍率の変更指示を受け付ける部材である。
【００２８】
ＵＳＢ２９０は、デジタルビデオカメラ１００とパソコン等の外部機器とを接続するためのインターフェースである。例えば、ＵＳＢ２９０とパソコン等の外部機器のＵＳＢとは、ＵＳＢケーブルを介して接続することができる。デジタルビデオカメラ１００は、ＵＳＢ２９０を介して、外部機器から電力供給を受けたり、外部機器との間でデータを送受信したりすることができる。
【００２９】
ＡＣアダプタ接続端子３００は、デジタルビデオカメラ１００とＡＣアダプタとを接続するためのインターフェースである。デジタルビデオカメラ１００は、ＡＣアダプタ接続端子３００を介して、ＡＣアダプタから電力供給を受けることができる。
【００３０】
バッテリー３１０は、デジタルビデオカメラ１００に電力を供給するための充電池である。
【００３１】
ＨＤＤ３２０は、デジタルビデオカメラ１００本体内部に組み込まれた記録メディアである。ＨＤＤ３２０は、デジタルビデオカメラ１００により撮像される映像データ等を記録する記録メディアである。
【００３２】
〔１−２−２．本発明との対応〕
メモリカード２４０およびＨＤＤ３２０は、本発明の記憶部の一例である。ＤＶＤレコーダは、第１外部機器の一例である。パソコンは、第２外部機器の一例である。ＵＳＢ２９０は、本発明の接続部の一例である。操作部材２５０は、本発明の受付部の一例である。コントローラー２１０の通信部２１０ａは、本発明の通信部の一例である。コントローラー２１０の判断部２１０ｂは、本発明の判断部の一例である。コントローラー２１０のデータ管理部２１０ｃは、本発明のデータ管理部の一例である。液晶モニタ２７０は、本発明の表示部の一例である。ＣＣＤイメージセンサー１８０は、本発明の撮像素子の一例である。
【００３３】
〔１−３．動作〕
本実施の形態にかかるデジタルビデオカメラ１００の各種動作について、図面を用いて説明する。
【００３４】
〔１−３−１．外部機器とデジタルビデオカメラとの初期通信〕
パソコンやＤＶＤレコーダ等の外部機器とデジタルビデオカメラ１００との初期通信について、図３を用いて説明する。図３は、上記初期通信の流れを説明するためのシーケンス図である。
【００３５】
使用者は、デジタルビデオカメラ１００を、ＵＳＢ２９０を介して、外部機器に接続することができる。ＵＳＢ２９０に外部機器が接続されると、デジタルビデオカメラ１００の通信部２１０ａは、ＵＳＢ接続がされた旨を外部機器に通知する（Ｓ１００）。
【００３６】
ＵＳＢ接続がされた旨の通知を受けると、外部機器は、通信部２１０ａに対して、デジタルビデオカメラ１００のデバイス情報の問い合わせを行う（Ｓ１１０）。ここで、デバイス情報とは、デバイスの名称、デバイスに含まれる記憶メディアの数および種類等に関する情報である。
【００３７】
デバイス情報の問い合わせを受け付けると、通信部２１０ａは、外部機器に対して、問い合わせの内容について応答する（Ｓ１２０）。応答を受け付けると、外部機器は、通信部２１０ａに対して、デバイス情報を正常に受け付けた旨、すなわち、デジタルビデオカメラ１００を正常に認識した旨を通知する（Ｓ１３０）。
【００３８】
デバイス情報を正常に受け付けた旨を通知した後に、外部機器は、通信部２１０ａに対して、デジタルビデオカメラ１００が有する記憶メディアの詳細情報を問い合わせる（Ｓ１４０）。ここで、記憶メディアの詳細情報とは、記憶メディアの容量および記憶メディアのブロック数等に関する情報である。なお、パソコンは、デジタルビデオカメラ１００が有する全ての記憶メディアについての詳細情報を問い合わせる。一方、ＤＶＤレコーダは、デジタルビデオカメラ１００が有する記憶メディアのうち、予め定められた記憶メディア（デフォルトの記憶メディア）についてのみ問い合わせる。
【００３９】
記憶メディアの詳細情報の問い合わせを受け付けると、通信部２１０ａは、外部機器に対して、問い合わせの内容について応答する（Ｓ１５０）。その結果、パソコンは、デジタルビデオカメラ１００が有する全ての記憶メディアを認識した状態になる。一方、ＤＶＤレコーダは、デジタルビデオカメラ１００が有する記憶メディアのうち、予め定められた記憶メディアのみを認識した状態になる。
【００４０】
以上の動作により、外部機器とデジタルビデオカメラ１００との初期通信は完了する。初期通信の完了により、デジタルビデオカメラ１００と外部機器とのＵＳＢ２９０を介した通信が確立される。具体的には、初期通信の完了により、デジタルビデオカメラ１００と、デジタルビデオカメラ１００の２つの記憶メディア（メモリカード２４０およびＨＤＤ３２０）のうちの全ての記憶メディアを認識した状態のパソコンとの通信が確立される。一方、初期通信の完了により、デジタルビデオカメラ１００と、デジタルビデオカメラ１００の２つの記憶メディア（メモリカード２４０およびＨＤＤ３２０）のうちの一部の記憶メディア（デフォルトの記憶メディア）を認識した状態のＤＶＤレコーダとの通信が確立される。
【００４１】
初期通信は、外部機器がＵＳＢ２９０に接続されると、自動的に開始する。従って、使用者がデジタルビデオカメラ１００のＵＳＢ２９０に外部機器を接続すると、上述の通信が自動的に確立される。
【００４２】
初期通信の完了後の動作について、次に説明する。
【００４３】
〔１−３−２．外部機器のアプリケーションソフトの起動動作〕
外部機器とデジタルビデオカメラ１００との初期通信の完了後の外部機器の動作について、図４を用いて説明する。図４は、外部機器のアプリケーションソフトの起動動作を説明するためのフローチャートである。外部機器は、ＵＳＢ２９０を介して、デジタルビデオカメラ１００に接続された状態にある。ここでは、外部機器の例として、パソコンとＤＶＤレコーダとを挙げる。
【００４４】
まず、パソコンの動作を説明する。なお、このパソコンには、予めデジタルビデオカメラ１００に対応する常駐ソフトとアプリケーションソフトとがインストールされている。常駐ソフトは、パソコンに、パソコンへのデバイスの接続を監視する処理を実行させるソフトである。常駐ソフトは、デバイスがパソコンへ接続されると、自動的に起動する。アプリケーションソフトは、パソコンに、デジタルビデオカメラ１００からパソコンに出力された動画および／または静止画の編集等の処理を実行させるソフトである。
【００４５】
常駐ソフト（より正確には、常駐ソフトを実行するパソコンの制御部である。以下、同じ。）は、パソコンに接続されたデバイスとの初期通信を実行する（Ｓ２００）。パソコンに接続されたデバイスがデジタルビデオカメラ１００である場合には、図３に示す初期通信が実行される。
【００４６】
初期通信（Ｓ２００）が完了すると、パソコン内の常駐ソフトは、パソコンに接続されたデバイスが対象機器であるか否かを判断する（Ｓ２１０）。ここで、対象機器とは、常駐ソフトが、アプリケーションソフトを起動してよい機器として予め認識している機器のことである。常駐ソフトは、デジタルビデオカメラ１００を対象機器として予め認識している。
【００４７】
対象機器でないと判断すると、常駐ソフトは動作を終了する。
【００４８】
一方、対象機器であると判断すると、常駐ソフトは、メディア選択画面消灯コマンドをデジタルビデオカメラ１００に通知する（Ｓ２２０）。ここで、メディア選択画面消灯コマンドとは、液晶モニタ２７０上から後述するメディア選択画面を消灯すること命じるコマンドである。メディア選択画面消灯コマンドをデジタルビデオカメラ１００に通知すると、常駐ソフトは、アプリケーションソフトを起動させる（Ｓ２３０）。
【００４９】
次に、ＤＶＤレコーダの動作を説明する。ＤＶＤレコーダの制御部は、ＤＶＤレコーダにデジタルビデオカメラ１００が接続されると、図３に示す初期通信を自動的に実行する。初期通信（Ｓ３００）が完了すると、ＤＶＤレコーダは、直ちにアプリケーションソフトを起動する（Ｓ３１０）。アプリケーションソフトは、ＤＶＤレコーダに、動画および／または静止画の記録、再生等の処理を実行させるソフトである。
【００５０】
〔１−３−３．デジタルビデオカメラの記憶メディアの決定動作〕
外部機器とデジタルビデオカメラ１００との初期通信の完了後のデジタルビデオカメラ１００の動作について、図５を用いて説明する。図５は、デジタルビデオカメラ１００の記憶メディアの決定動作を説明するためのフローチャートである。デジタルビデオカメラ１００による図５の処理は、外部機器による図４の処理と並列に実行される。デジタルビデオカメラ１００の記憶メディアの決定動作は、ＵＳＢ２９０に外部機器が接続されると、自動的に実行される。
【００５１】
図３に示す初期通信（Ｓ４００）が完了すると、コントローラー２１０の判断部２１０ｂは、外部機器からメディア選択画面消灯コマンドを受け付けたか否かを判断する（Ｓ４１０）。なお、初期通信中、コントローラー２１０は、液晶モニタ２７０に図６（Ａ）の画面を表示させる。初期通信の完了後、コントローラー２１０は、液晶モニタ２７０に図６（Ｂ）の画面を表示させる。
【００５２】
メディア選択画面消灯コマンドを受け付けたと判断すると、コントローラー２１０は、ステップＳ４２０を実行する。コントローラー２１０は、液晶モニタ２７０にメディア選択画面（後述する）が表示されている場合には、メディア選択画面を消すように液晶モニタ２７０を制御する（Ｓ４２０）。一方、コントローラー２１０は、液晶モニタ２７０にメディア選択画面が表示されていない場合には、何もしない（Ｓ４２０）。ステップＳ４２０の終了の時点で、液晶モニタ２７０は、図６（Ｂ）の画面を表示する。
【００５３】
一方、メディア選択画面消灯コマンドを受け付けていないと判断すると、コントローラー２１０は、図７のメディア選択画面を表示するよう液晶モニタ２７０を制御する（Ｓ４３０）。メディア選択画面は、選択指示をユーザから受け付けることにより、デジタルビデオカメラ１００の２つの記憶メディア（メモリカード２４０およびＨＤＤ３２０）のうちのどの記憶メディアを外部機器に認識させるかを使用者に選択させる画面である。選択指示は、使用者からのデジタルカメラ１００に対する指示であり、デジタルビデオカメラ１００の２つの記憶メディア（メモリカード２４０およびＨＤＤ３２０）のうちのどの記憶メディアを外部機器に認識させるかを示すものである。言い換えると、メディア選択画面は、外部機器が認識すべき記憶メディアとして、メモリカード２４０およびＨＤＤ３２０の何れか一方を選択するように使用者を促す。つまり、メディア選択画面は、外部機器が認識すべき記憶メディアとして、メモリカード２４０およびＨＤＤ３２０の何れを選択するのかを使用者に問い合わせる。
【００５４】
ステップＳ４３０の後、コントローラー２１０は、使用者によりメディア選択画面上で記憶メディアが選択されたか否かを判断する（Ｓ４４０）。使用者は、操作部材２５０を操作することにより、メディア選択画面上で記憶メディアを選択することができる。つまり、操作部材２５０は、選択指示をユーザから受け付ける部材である。なお、操作部材２５０は、釦であってもよいし、液晶モニタ２７０上に設けられたタッチパネルであってもよい。要するに、操作部材２５０は、使用者による記憶メディアの選択をコントローラー２１０に認識させることができるインターフェースであれば何でもよい。記憶メディアが選択されていないと判断すると、コントローラー２１０は、再度、ステップＳ４１０の判断を行う。一方、記憶メディアが選択されたと判断すると、コントローラー２１０は、どの記憶メディアが使用者により選択されたかを判断する（Ｓ４５０）。
【００５５】
ＨＤＤ３２０が選択されたと判断すると、デジタルビデオカメラ１００と外部機器とは、図３の初期通信を再度行う（Ｓ４６０）。ただし、ＵＳＢ２９０にＤＶＤレコーダが接続されている場合には、通信部２１０ａは、初期通信に含まれるステップＳ１５０で、ＨＤＤ３２０の詳細情報をＤＶＤレコーダに送信する。従って、初期通信（Ｓ４６０）が完了すると、ＤＶＤレコーダは、デジタルビデオカメラ１００のＨＤＤ３２０をマウントしている（認識している）状態となる（Ｓ４７０）。
【００５６】
一方、メモリカード２４０が選択されたと判断すると、デジタルビデオカメラ１００と外部機器とは、図３の初期通信を再度行う（Ｓ４８０）。ただし、ＵＳＢ２９０にＤＶＤレコーダが接続されている場合には、通信部２１０ａは、初期通信に含まれるステップＳ１５０で、メモリカード２４０の詳細情報をＤＶＤレコーダに送信する。従って、初期通信（Ｓ４８０）が完了すると、ＤＶＤレコーダは、デジタルビデオカメラ１００のメモリカード２４０をマウントしている（認識している）状態となる（Ｓ４９０）。
【００５７】
ところで、デジタルビデオカメラ１００は、自身にパソコンが接続されている場合にのみ、メディア選択画面消灯コマンドを受け付ける。つまり、メディア選択画面消灯コマンドは、デジタルビデオカメラ１００に接続されている外部機器の種類（パソコンであるか、ＤＶＤレコーダであるか）を、デジタルビデオカメラ１００に認識させる信号である。従って、上記ステップＳ４１０は、デジタルビデオカメラ１００に接続されている外部機器の種類を判断するステップである。
【００５８】
〔１−４．データ管理部〕
ＤＶＤレコーダおよびＰＣ等の外部機器は、自身が認識しているメモリカード２４０および／又はＨＤＤ３２０からデータを読み出すことができる。データ管理部２１０ｃは、ユーザによって撮像された画像データをメモリカード２４０および／又はＨＤＤ３２０に記憶させる。データ管理部２１０ｃは、外部機器からの指令に応じて、メモリカード２４０および／又はＨＤＤ３２０に格納されているデータ（画像データを含む）をその外部機器に送信する。
【００５９】
〔１−５．デジタルビデオカメラの特徴〕
デジタルビデオカメラ１００は、自身にＤＶＤレコーダが接続されると、初期通信を自動的に実行し、ＤＶＤレコーダにデフォルトの記憶メディアを認識させる。ＤＶＤレコーダは、デジタルビデオカメラ１００の複数の記憶メディアのうち一部の記憶メディアのみを同時に認識可能な種類の外部機器である。従って、使用者に煩わしい操作を求めることなく、ＤＶＤレコーダとデジタルビデオカメラ１００との通信をプラグアンドプレイで確立することができる。
【００６０】
また、デジタルビデオカメラ１００は、自身にＤＶＤレコーダが接続されると、初期通信の完了後、メディア選択画面を液晶モニタ２７０に自動的に表示させる。メディア選択画面は、デジタルビデオカメラ１００の２つの記憶メディア（メモリカード２４０およびＨＤＤ３２０）間で、ＤＶＤレコーダが認識すべき記憶メディアを選択する指示を使用者から受け付ける画面である。また、デジタルビデオカメラ１００は、メディア選択画面を介し記憶メディアの変更が指示されると、再度初期通信を実行し、ＤＶＤレコーダに本指示が示す記憶メディアを認識させる。これにより、使用者は、デフォルトの記憶メディア以外の記憶メディアについても、ＤＶＤレコーダに容易に認識させることができる。
【００６１】
また、デジタルビデオカメラ１００は、自身にＤＶＤレコーダが接続されると、初期通信を自動的に実行し、ＤＶＤレコーダにデフォルトの記憶メディアを認識させ、自身にＤＶＤレコーダが接続されると、初期通信の完了後、メディア選択画面を液晶モニタ２７０に自動的に表示させる。これにより、デフォルトの記憶メディアの使用者による使用頻度が、他の記憶メディアの使用頻度よりも一般的に高いものである場合には、大抵の場合、プラグランドプレイで使用者の所望する記憶メディアがＤＶＤレコーダに認識されることになる。さらに、メディア選択画面により、使用者はたまに使用するデフォルトの記憶メディア以外の記憶メディアも選択することができる。デフォルトの記憶メディアは、記憶容量が他のものより大きい記憶メディアに設定されていてもよいし、データの読み出し速度が他のものより速い記憶メディアに設定されていてもよいし、アンケートの結果から適切と判断される記憶メディアに設定されていてもよいし、その他任意の記憶メディアに設定され得る。
【００６２】
また、メディア選択画面は、液晶モニタ２７０に表示される。これにより、使用者は、外部機器に認識させる記憶メディアの選択肢を視覚的に把握できる。その結果、外部機器に認識させる記憶メディアの変更を直感的に容易に行うことができる。
【００６３】
また、デジタルビデオカメラ１００は、自身にパソコンが接続されると、初期通信を自動的に実行する。パソコンは、デジタルビデオカメラ１００の複数の記憶メディアのうち全ての記憶メディアを同時に認識可能な種類の外部機器である。その結果、使用者がパソコンまたはＤＶＤレコーダのどちらをデジタルビデオカメラ１００に接続しようとも、自動的にデジタルビデオカメラ１００と外部機器との通信がプラグアンドプレイで確立される。これにより、使用者は、煩わしい選択等をすることなく、デジタルビデオカメラ１００と外部機器とを接続するだけで、自動的に両者の通信を開始させることができる。
【００６４】
また、デジタルビデオカメラ１００は、自身にＤＶＤレコーダが接続されると、メディア選択画面を液晶モニタ２７０に自動的に表示させるが、パソコンが接続された場合には、メディア選択画面を液晶モニタ２７０に表示させないか、あるいはメディア選択画面が既に液晶モニタ２７０に表示されてしまっている場合には消灯させる。デジタルビデオカメラ１００は、自身に接続されている外部機器の種類に応じて処理を変更することにより、使用者に不必要な操作が課されないようにしている。
〔２．他の実施の形態〕
以上により、本発明の実施の形態として、実施の形態１を説明した。しかし、本発明は、これには限定されない。そこで、本発明の他の実施の形態を本欄にまとめて説明する。
【００６５】
実施の形態１では、本発明にかかる電子機器としてデジタルビデオカメラを例示した。しかし、本発明は、複数の記憶メディアを有する他の電子機器にも適用可能である。
【００６６】
また、実施の形態１では、複数の記憶メディアとして、ＨＤＤとメモリカードを例示した。しかし、本発明は、必ずしもこのような例には限定されない。本発明は、例えば、フラッシュメモリとＨＤＤとメモリカードとが搭載される電子機器や、メモリカードが２個搭載される電子機器等、複数のメディアを有する様々な電子機器に適用可能である。つまり、実施の形態１では、ＤＶＤレコーダが認識することが可能な記憶メディアは２つであり、デフォルトの記憶メディアは１つであった。しかしながら、他の実施の形態では、ＤＶＤレコーダが認識することが可能な記憶メディアが３つ以上あってもよい。その場合、デフォルトの記憶メディアは、２つ以上あってもよい。
【００６７】
また、実施の形態１では、パソコンからデジタルビデオカメラ１００にメディア選択画面消灯コマンドが送られてくるものとしたが、本発明は、必ずしもこのような例に限定されない。例えば、メディア選択画面消灯コマンドの代わりに、デジタルビデオカメラ１００の全ての記憶メディアを同時に認識可能な外部機器であることを通知できる任意のコマンドを送信することができる。
【００６８】
また、実施の形態１では、接続部の一例としてＵＳＢ２９０を挙げたが、必ずしもこれに限定されるものではない。デジタルビデオカメラ１００と外部機器との双方向の通信を可能にする接続部であれば何でもよい。
【００６９】
また、実施の形態１では、ＵＳＢ２９０にＤＶＤレコーダが接続されると、液晶モニタ２７０にメディア選択画面が自動的に表示される。しかしながら、必ずしもメディア選択画面がプラグアンドプレイで表示されなくてもよい。例えば、使用者が操作部材２５０を操作することにより、任意のタイミングでメディア選択画面の表示を指示できるようにしてもよい。
【００７０】
また、実施の形態１では、デジタルビデオカメラ１００に接続されている外部機器の種類をデジタルビデオカメラ１００に認識させるために、パソコンからデジタルビデオカメラ１００にメディア選択画面消灯コマンドが送信される。しかしながら、他の態様によって、デジタルビデオカメラ１００に接続されている外部機器の種類をデジタルビデオカメラ１００に認識させるようにしてもよい。
【００７１】
例えば、図８に示すように、パソコンおよびＤＶＤレコーダの両方が、自身の種類を特定可能な信号をデジタルビデオカメラ１００に対し送信するようにしてもよい。その場合、図５の処理を、例えば図９の処理のように変更することができる。具体的には、ステップＳ４１０において、パソコンから所定の信号が送信されてきた場合には処理を終了し、ＤＶＤレコーダから所定の信号が送信されてきた場合には、処理をステップＳ４３０に進める。さらに、ステップＳ４４０で「ＮＯ」と判断されると、処理がステップＳ４１０ではなく、ステップＳ４４０に戻るようにする。
【００７２】
あるいは、図１０に示すように、ＤＶＤレコーダのみが、デジタルビデオカメラ１００に対し所定の信号を送信するようにしてもよい。その場合、図５の処理を、例えば図１１の処理のように変更することができる。具体的には、ステップＳ４１０で「ＮＯ」と判断されると、ステップＳ４１０を繰り返すようにする。さらに、ステップＳ４４０で「ＮＯ」と判断されると、処理がステップＳ４１０ではなく、ステップＳ４４０に戻るようにする。
【００７３】
本変形例のように、判断部２１０ｂは、パソコンおよびレコーダの少なくとも一方から所定の信号が送信されてくれば、デジタルビデオカメラ１００に接続されている外部機器の種類を判断可能である。
【００７４】
また、メディア選択画面は、図７に示した例に限られず、例えば、図１２又は図１３に示すようなものであってもよい。つまり、メディア選択画面は、図７に示すように、デジタルビデオカメラ１００に含まれる全ての記憶メディアが選択肢として与えられる画面でなくてもよく、図１２および図１３に示すように、現在選択されている記憶メディアの選択肢が省略され、現在選択されていない記憶メディアの選択肢が与えられる画面であってもよい。
【００７５】
図１２の画面は、ＵＳＢ２９０にＨＤＤ３２０が接続されている場合に、ＤＶＤレコーダに認識させる記憶メディアをＨＤＤ３２０からメモリカード２４０に変更する指示を受け付ける画面である。ユーザは、ＨＤＤ３２０を選択したい場合には、何もしないという選択をし、メモリカード２４０を選択したい場合には、メモリカード２４０のアイコンを押下するという選択をする。同様に、図１３の画面は、ＵＳＢ２９０にメモリカード２４０が接続されている場合に、ＤＶＤレコーダに認識させる記憶メディアをメモリカード２４０からＨＤＤ３２０に変更する指示を受け付ける画面である。ユーザは、メモリカード２４０を選択したい場合には、何もしないという選択をし、ＨＤＤ３２０を選択したい場合には、ＨＤＤ３２０のアイコンを押下するという選択をすればよい。つまり、図１２および図１３のメディア選択画面は、デジタルビデオカメラ１００の２つの記憶メディア（メモリカード２４０およびＨＤＤ３２０）のうちのどの記憶メディアを外部機器に認識させるかを使用者に選択させる画面である。
【００７６】
また、実施の形態１では、デジタルビデオカメラ１００の複数の記憶メディアのうち一部の記憶メディアのみを同時に認識可能な種類の外部機器（第１外部機器）として、ＤＶＤレコーダを例示し、デジタルビデオカメラ１００の複数の記憶メディアのうち全ての記憶メディアを同時に認識可能な種類の外部機器（第２外部機器）として、パソコンを例示した。しかし、本発明は、このような例に限定されない。例えば、接続形態としてＵＳＢ接続を想定する場合、複数のロジカルユニットを同時に認識できるＯＳ（Ｏｐｅｒａｔｉｎｇ  Ｓｙｓｔｅｍ）が搭載された任意の機器を、第２外部機器とすることができる。一方、そのようなＯＳが搭載されておらず、ロジカルユニットを同時に１つしか認識できないように構成されている機器を、第１外部機器とすることができる。
【産業上の利用可能性】
【００７７】
本発明は、デジタルビデオカメラおよびデジタルスチルカメラ等の電子機器に適用できる。
【符号の説明】
【００７８】
１００    デジタルビデオカメラ（電子機器）
１８０    ＣＣＤイメージセンサー（撮像素子）
２１０    コントローラー
２１０ａ  通信部
２１０ｂ  判断部
２１０ｃ  データ管理部
２４０    メモリカード（記憶部）
２５０    操作部材（受付部）
２７０    液晶モニタ（表示部）
２９０    ＵＳＢ（接続部）
３２０    ＨＤＤ（記憶部）
【図１】
2011141869.tif 000003
【図２】
2011141869.tif 000004
【図３】
2011141869.tif 000005
【図４】
2011141869.tif 000006
【図５】
2011141869.tif 000007
【図６】
2011141869.tif 000008
【図７】
2011141869.tif 000009
【図８】
2011141869.tif 000010
【図９】
2011141869.tif 000011
【図１０】
2011141869.tif 000012
【図１１】
2011141869.tif 000013
【図１２】
2011141869.tif 000014
【図１３】
2011141869.tif 000015